(57)【特許請求の範囲】
【請求項１】
チャネル状態情報参照信号（ＣＳＩ−ＲＳ）を送信する方法であって、該方法は、
１つ以上のＣＳＩ−ＲＳ再利用パターンが送信される１つ以上のサブフレームの配置を識別することと、
ＣＳＩ−ＲＳを該サブフレーム内において送信するために用いられる１つ以上のリソース要素（ＲＥ）の配置を識別することであって、該ＣＳＩ−ＲＳ再利用パターンを含む該ＲＥは、ＣＳＩ−ＲＳポートの数（ＮＡＮＴまたはＮＣＳＩＲＳ）および該再利用パターンにおけるＲＥ＃０の配置（＜ｋｒ，０，ｌｒ，０＞または＜ｋ’，ｌ’，ｎｓ＞）によって規定され、該ＲＥ＃０の配置に対する該１つ以上のＲＥの配置は、送信される該１つ以上のＣＳＩ−ＲＳ再利用パターンの各々に対して同一であり、ｋｒ，０は、ｒ番目のＣＳＩ−ＲＳ再利用パターンに対する物理リソースブロック（ＰＲＢ）内のＲＥ＃０の配置に対するサブキャリアオフセットであり、ｌｒ，０は、ｒ番目のＣＳＩ−ＲＳ再利用パターンに対する該ＰＲＢ内のＲＥ＃０の配置に対するシンボルオフセットであり、ｋ’は、サブキャリアインデックスであり、ｌ’は、該サブフレームのスロットにおけるＯＦＤＭシンボルインデックスであり、ｎｓは、フレーム毎のスロットインデックスである、ことと、
該ＣＳＩ−ＲＳ再利用パターンが１つ以上のユーザー機器（ＵＥ）に送信される１つ以上のＲＥおよび該１つ以上のサブフレームの配置を提供することと、
該ＣＳＩ−ＲＳ変調シンボルを、各シンボルがＣＳＩ−ＲＳシーケンス要素
【数１】
0005876880.tif 000075
を乗法コンポーネントとして含む１つ以上のＣＳＩ−ＲＳ  ＲＥにおいて生成することと
を含み、
ＣＳＩ−ＲＳシーケンス要素
【数２】
0005876880.tif 000076
のインデックス（ｍ’）と、該ＣＳＩ−ＲＳシーケンス要素がマッピングされるＣＳＩ−ＲＳ  ＲＥを含むＰＲＢの周波数領域インデックス（ｍ）との間の関係は、
【数３】
0005876880.tif 000077
によって与えられ、
【数４】
0005876880.tif 000078
は、ＰＲＢの数における実際のシステムバンド幅であり、
【数５】
0005876880.tif 000079
は、ＰＲＢの数における最大限のサポートされたバンド幅であり、ＣＳＩ−ＲＳシーケンス
【数６】
0005876880.tif 000080
の送信されたセグメントは、シーケンス要素インデックス
【数７】
0005876880.tif 000081
によって決定され、
該シーケンス要素
【数８】
0005876880.tif 000082
がマッピングされるＣＳＩ−ＲＳ  ＲＥは、スロットインデックスｎｓのスロットにおけるシンボルインデックスｌのＯＦＤＭシンボル上にある、方法。
【請求項２】
前記ＣＳＩ−ＲＳを送信するサブフレーム例は、
【数９】
0005876880.tif 000083
を満たすフレームインデックスｎｆおよびスロットインデックスｎｓ（０≦ｎｓ＜２０）によって規定され、ＣＳＩ−ＲＳに対するセル固有サブフレーム期間ＴＣＳＩＲＳおよび期間毎の前記サブフレームに対するセル固有サブフレームオフセットΔＣＳＩＲＳは、前記ＵＥに高層無線リソース制御（ＲＲＣ）パラメータＩＣＳＩＲＳによって、予め定められた表に基づいて通知される、請求項１に記載の方法。
【請求項３】
ＣＳＩ−ＲＳポートの数（ＮＡＮＴまたはＮＣＳＩＲＳ）および前記ＣＳＩ−ＲＳ再利用パターンにおける前記ＲＥ＃０の配置（＜ｋｒ，０，ｌｒ，０＞または＜ｋ’，ｌ’，ｎｓ＞）は、別個に符号化される、請求項１に記載の方法。
【請求項４】
前記ＣＳＩ−ＲＳポートの数（ＮＡＮＴ）は、２ビットで符号化され、該２ビットバイナリパターンは、ＮＡＮＴ＝２に対して０１であり、ＮＡＮＴ＝４に対して１０であり、ＮＡＮＴ＝８に対して１１である、請求項３に記載の方法。
【請求項５】
前記ＲＥ＃０の配置（＜ｋｒ，０，ｌｒ，０＞または＜ｋ’，ｌ’，ｎｓ＞）は、
【数１０】
0005876880.tif 000084
ビットで４＊Ｎ８Ｔｘ入力の表に基づいて符号化され、該４＊Ｎ８Ｔｘ入力は、全ての８−Ｔｘ  ＣＳＩ−ＲＳ再利用パターンにわたる全てのＣＳＩ−ＲＳ  ＲＥの配置を含み、該全ての８−Ｔｘ  ＣＳＩ−ＲＳ再利用パターンのＲＥインデックスは、偶数であり、Ｎ８Ｔｘは、全ての８−Ｔｘ  ＣＳＩ−ＲＳ再利用パターンの数に等しい、請求項３に記載の方法。
【請求項６】
ｍ−Ｔｘ（ｍ＝ＮＡＮＴ）ＣＳＩ−ＲＳ再利用パターンのＲＥ＃０の配置＜ｋｒ，０，ｌｒ，０＞は、ｚ＝ｍ・ｘに対する前記ネストされた８−Ｔｘ  ＣＳＩ−ＲＳ再利用パターンのＲＥ＃ｚの配置（＜ｋｒ，ｚ，ｌｒ，ｚ＞）に等しく、ｘ∈｛０，１，２，３｝であり、
【数１１】
0005876880.tif 000085
ビットは、該ネストされた８−Ｔｘ  ＣＳＩ−ＲＳ再利用パターンのＲＥ＃０配置＜ｋｒ，０，ｌｒ，０＞を、Ｎ８Ｔｘ入力の予め定められた表に基づいて符号化するために用いられる、請求項３に記載の方法。
【請求項７】
ｘはＲＲＣ通知パラメータであり、ｘ∈｛０，１，２，３｝は、さらに２つのｘに対する通知ビットを要求する、請求項６に記載の方法。
【請求項８】
ｍ−Ｔｘ（ｍ＝ＮＡＮＴ）再利用パターンの前記割り当てられた＜ｋｒ，０，ｌｒ，０＞は、ネストされた８−Ｔｘ再利用パターンの＜ｋｒ，ｚ，ｌｒ，ｚ＞（ＲＥ＃ｚの配置）に等しく、ｋｒ，ｚは、ｒ番目のＣＳＩ−ＲＳ再利用パターンに対する物理リソースブロック（ＰＲＢ）内のＲＥ＃ｚの配置に対するサブキャリアオフセットであり、ｌｒ，ｚは、ｒ番目のＣＳＩ−ＲＳ再利用パターンに対する該ＰＲＢ内のＲＥ＃ｚの配置に対するシンボルオフセットであり、ネストされた８−Ｔｘ  ＣＳＩ−ＲＳパターンｚおよびＣＳＩ−ＲＳポートの数ＮＡＮＴは、連帯的に符号化され、
【数１２】
0005876880.tif 000086
ビットは、該ネストされた８−Ｔｘ再利用パターンのＲＥ＃０配置＜ｋｒ，０，ｌｒ，０＞をＮ８Ｔｘ入力の予め定められた表に基づいて符号化するために用いられる、請求項１に記載の方法。
【請求項９】
【数１３】
0005876880.tif 000087
である、請求項５、６、７または８のうちのいずれか一項に記載の方法。
【請求項１０】
チャネル状態情報参照信号（ＣＳＩ−ＲＳ）を受信するように構成されているシステムであって、該システムは、
物理リソースブロック（ＰＲＢ）内の１つ以上のサブフレームであって、該サブフレームは、１つ以上のＣＳＩ−ＲＳ再利用パターンを含む、１つ以上のサブフレームと、
該サブフレーム内のＣＳＩ−ＲＳを送信するために用いられる１つ以上のリソース要素（ＲＥ）であって、該ＣＳＩ−ＲＳ再利用パターンを含む該ＲＥは、ＣＳＩ−ＲＳポートの数（ＮＡＮＴまたはＮＣＳＩＲＳ）および該再利用パターンにおけるＲＥ＃０の配置（＜ｋｒ，０，ｌｒ，０＞または＜ｋ’，ｌ’，ｎｓ＞）によって規定され、該ＲＥ＃０の配置に対する該１つ以上のＲＥの配置は、該１つ以上のＣＳＩ−ＲＳ再利用パターンの各々に対して同一であり、ｋｒ，０は、ｒ番目のＣＳＩ−ＲＳ再利用パターンに対する物理リソースブロック（ＰＲＢ）内のＲＥ＃０の配置に対するサブキャリアオフセットであり、ｌｒ，０は、ｒ番目のＣＳＩ−ＲＳ再利用パターンに対する該ＰＲＢ内のＲＥ＃０の配置に対するシンボルオフセットであり、ｋ’は、サブキャリアインデックスであり、ｌ’は、該サブフレームのスロットにおけるＯＦＤＭシンボルインデックスであり、ｎｓは、フレーム毎のスロットインデックスである、１つ以上のリソース要素（ＲＥ）と、
ユーザー機器（ＵＥ）であって、該ＵＥは、該１つ以上のサブフレームおよび該１つ以上のＲＥに関する配置情報を含む、ユーザー機器（ＵＥ）と、
１つ以上のサブフレーム内の１つ以上のＲＥにわたる送信のために構成されているＣＳＩ−ＲＳ変調シンボルであって、各ＣＳＩ−ＲＳシンボルは、乗法コンポーネントとしてＣＳＩ−ＲＳシーケンス要素
【数１４】
0005876880.tif 000088
を含む、ＣＳＩ−ＲＳ変調シンボルと
を含み、
ＣＳＩ−ＲＳシーケンス要素
【数１５】
0005876880.tif 000089
のインデックス（ｍ’）と、該ＣＳＩ−ＲＳシーケンス要素がマッピングされるＣＳＩ−ＲＳ  ＲＥを含むＰＲＢの周波数領域インデックス（ｍ）との間の関係は、
【数１６】
0005876880.tif 000090
によって与えられ、
【数１７】
0005876880.tif 000091
は、ＰＲＢの数における実際のシステムバンド幅であり、
【数１８】
0005876880.tif 000092
は、ＰＲＢの数における最大限のサポートされたバンド幅であり、ＣＳＩ−ＲＳシーケンス
【数１９】
0005876880.tif 000093
の送信されたセグメントは、シーケンス要素インデックス
【数２０】
0005876880.tif 000094
によって決定され、
該シーケンス要素
【数２１】
0005876880.tif 000095
がマッピングされるＣＳＩ−ＲＳ  ＲＥは、スロットインデックスｎｓのスロットにおけるシンボルインデックスｌのＯＦＤＭシンボル上にある、システム。
【請求項１１】
サブフレーム例は、
【数２２】
0005876880.tif 000096
を満たすフレームインデックスｎｆおよびインデックスｎｓによって規定され、ＣＳＩ−ＲＳに対するセル固有サブフレーム期間ＴＣＳＩＲＳおよび期間毎の前記サブフレームに対するセル固有サブフレームオフセットΔＣＳＩＲＳは、高層無線リソース制御（ＲＲＣ）パラメータＩＣＳＩＲＳによって、予め定められた表に基づいて前記ＵＥに通知される、請求項１０に記載のシステム。
【請求項１２】
ＣＳＩ−ＲＳポートの数（ＮＡＮＴまたはＮＣＳＩＲＳ）および前記ＣＳＩ−ＲＳ再利用パターンにおけるＲＥ＃０の配置（＜ｋｒ，０，ｌｒ，０＞または＜ｋ’，ｌ’，ｎｓ＞）は、別個に符号化される、請求項１０に記載のシステム。
【請求項１３】
前記ＣＳＩ−ＲＳポートの数（ＮＡＮＴ）は、２ビットで符号化され、該２ビットバイナリパターンは、ＮＡＮＴ＝２に対して０１であり、ＮＡＮＴ＝４に対して１０であり、ＮＡＮＴ＝８に対して１１である、請求項１２に記載のシステム。
【請求項１４】
前記ＲＥ＃０の配置（＜ｋｒ，０，ｌｒ，０＞または＜ｋ’，ｌ’，ｎｓ＞）は、
【数２３】
0005876880.tif 000097
ビットで４＊Ｎ８Ｔｘ入力の表に基づいて符号化され、該４＊Ｎ８Ｔｘ入力は、全ての８−Ｔｘ  ＣＳＩ−ＲＳ再利用パターンにわたる全てのＣＳＩ−ＲＳ  ＲＥの配置を含み、該全ての８−Ｔｘ  ＣＳＩ−ＲＳ再利用パターンのＲＥインデックスは、偶数であり、Ｎ８Ｔｘは、全ての８−Ｔｘ  ＣＳＩ−ＲＳ再利用パターンの数に等しい、請求項１２に記載のシステム。
【請求項１５】
【数２４】
0005876880.tif 000098
である、請求項１４に記載のシステム。
【発明の詳細な説明】
【技術分野】
【０００１】
（関連出願への相互参照）
本願は、２０１０年８月１６日に出願された、名称が「Ｍｅｔｈｏｄｓ  ｆｏｒ  Ｃｏｎｆｉｇｕｒｉｎｇ  ＣＳＩ−ＲＳ  Ｔｒａｎｓｍｉｓｓｉｏｎ  ａｎｄ  Ｒｅｌａｔｅｄ  Ｍｕｔｉｎｇ  ｉｎ  ＬＴＥ−Ａｄｖａｎｃｅ  Ｓｙｓｔｅｍｓ」の米国仮特許出願第６１／３７４，２１４号および２０１０年１０月４日に出願された、名称が「Ｍｅｔｈｏｄｓ  ｆｏｒ  ＣＳＩ−ＲＳ  Ｔｒａｎｓｍｉｓｓｉｏｎ  ｉｎ  ＬＴＥ−Ａｄｖａｎｃｅ  Ｓｙｓｔｅｍｓ」の米国仮特許出願第６１／３８９，６３３号に対する優先権を主張する。両者は、本明細書に参照することによって全体が援用される。
【０００２】
（発明の分野）
本発明は、一般的にワイヤレス通信に関する。より具体的には、本発明は、チャネル状態情報参照信号（ＣＳＩ−ＲＳ）を割り振り、リソース要素（ＲＥ）をミュートし、ＣＳＩ−ＲＳをワイヤレス通信システムにおいて送信する方法およびシステムに関する。
【背景技術】
【０００３】
（背景）
ワイヤレス通信システムにおいて、ダウンリンク参照信号は、一般的にコヒーレント復調において用いられるチャネル推定に参照を提供し、およびマルチユーザースケジューリングにおいて用いられるチャネル品質測定に参照を提供するために作られる。ＬＴＥ  Ｒｅｌ−８仕様書において、セル固有参照信号（ＣＲＳ）と呼ばれるダウンリンク参照フォーマットの１つの単一のタイプは、チャネル推定とチャネル品質測定との両方に対して定義される。Ｒｅｌ−８  ＣＲＳの特性は、ユーザー機器（ＵＥ）が実際に必要とする複数入力複数出力（ＭＩＭＯ）チャネルランクに関わらず、基地局が常にＣＲＳをＭＩＭＯ層／ポートの最も大きい数に基づいて、全てのＵＥに報知し得ることを含む。
【０００４】
３ＧＰＰ  ＬＴＥ  Ｒｅｌ−８システムにおいて、送信時間は、長さが１０ｍｓのフレームのユニットに区分され、サブフレーム＃０からサブフレーム＃９までのラベル付与された１０のサブフレームに均等にさらに区分される。ＬＴＥ周波数分割複信（ＦＤＤ）システムが１０の隣接ダウンリンクサブフレームおよび１０の隣接アップリンクサブフレームを各フレームに有するが、ＬＴＥ時分割複信（ＴＤＤ）システムは、複数のダウンリンク−アップリンク割り振りを有し、それのダウンリンクおよびアップリンクサブフレーム割り当ては、表１に与えられ、ここで、文字Ｄ、ＵおよびＳは、対応するサブフレームを表し、ダウンリンクサブフレームと、アップリンクサブフレームと、サブフレームのうちの最初の部分にダウンリンク送信を含み、サブフレームのうちの最後の部分にアップリンク送信を含む特別なサブフレームとをそれぞれ指す。
【０００５】
【表１】
0005876880.tif 000002
【０００６】
ＬＴＥの１つのシステム構成例（ノーマルサイクリックプリフィクスまたはノーマルＣＰと呼ばれる）において、各サブフレームは、０から１３までのインデックスを有する
【０００７】
【数１】
0005876880.tif 000003
【０００８】
個の等継続時間シンボルを含む。ＬＴＥの別のシステム構成例（拡張サイクリックプリフィクスまたは拡張ＣＰと呼ばれる）において、各サブフレームは、０から１１までのインデックスを有する
【０００９】
【数２】
0005876880.tif 000004
【００１０】
個の等継続時間シンボルを含む。
【００１１】
周波数領域リソースは、１つの時間シンボル内の全バンド幅に至るまでサブキャリアに区分される。１つの物理リソースブロック（ＰＲＢ）は、周波数領域に対して１２の隣接サブキャリア、時間領域に対して１つのサブキャリアをカバーする長方形の２−Ｄ周波数−時間リソースエリアに対して定義され、ここで、ＰＲＢは、例えば、図２に示されるように、１２＊１４＝１６８のリソース要素（ＲＥ）をノーマルＣＰサブフレームに対して保持する。図３は、例示的拡張ＣＰサブフレームに対する１２＊１２＝１４４のＲＥを例示する。
【００１２】
加えて、各サブフレームは、また、２つの等しい長さのスロットを含み得る。各スロットは、７つのＯＦＤＭ（直交周波数分割多重）シンボルを含み得る。ノーマルＣＰ構成において、ＯＦＤＭシンボルは、スロット毎にインデックス付与され、ここで、シンボルインデックスは、０から６までである。ＯＦＤＭシンボルは、また、サブフレーム毎にインデックス付与され得、ここで、シンボルインデックスは、０から１３までである。
【００１３】
各通常のサブフレームは、２つの部分に区分される。ＰＤＣＣＨ（物理ダウンリンク制御チャネル）領域およびＰＤＳＣＨ（物理ダウンリンク共有チャネル）領域である。ＰＤＣＣＨ領域は、通常、サブフレーム毎に最初のいくつかのシンボルを占め、ハンドセット固有制御チャネルを搬送する。ＰＤＳＣＨ領域は、サブフレームのうちの残りを占め、汎用トラヒックを搬送する。ＬＴＥシステムは、以下の義務的ダウンリンク送信を要求する。
・一次同期信号（ＰＳＳ）および二次同期信号（ＳＳＳ）：これら２つの信号は、各フレームにおいて反復し、最初の同期およびＵＥが起動した後のセル識別検知の役に立つ。ＰＳＳの送信は、ノーマルＣＰのＦＤＤシステムに対してサブフレーム｛０，５｝のシンボル＃６において生じ、ＴＤＤシステムに対してサブフレーム｛１，６｝のシンボル＃２において生じる。ＳＳＳの送信は、ノーマルＣＰのＦＤＤに対してサブフレーム｛０，５｝のシンボル＃５において生じ、ノーマルＣＰのＴＤＤに対してサブフレーム｛０，５｝のシンボル＃１３において生じる。
・物理報知チャネル（ＰＢＣＨ）：ＰＢＣＨも各フレームにおいて反復し、不可欠なセル情報の報知の役に立つ。この送信は、サブフレーム＃０の４つのシンボル｛７〜１０｝に渡って生じる。
・システム情報ブロック（ＳＩＢ）：ＳＩＢは、ＰＢＣＨにわたって送信されない報知情報である。これは、各ハンドセットによって復号化される固有ＰＤＳＣＨにおいて搬送されない。ＬＴＥには複数のタイプのＳＩＢがあり、そのほとんどは、ＳＩＢ１型（ＳＩＢ１）を除いて、構成的により長い送信サイクルを有する。ＳＩＢ１は、各偶数フレームにおけるサブフレーム＃５で固定されてスケジューリングされる。ＳＩＢは、対応するＰＤＣＣＨにおいて与えられたシステム情報無線ネットワーク一時識別子（ＳＩ−ＲＮＴＩ）によって識別されたＰＤＳＣＨに送信される。
・ページングチャネル（ＰＣＨ）：ページングチャネルは、アイドルモードのハンドセットを起動させるか、またはハンドセットにＳＩＢの内容の改変のようなシステム全体のイベントを知らせるために用いられる。ＬＴＥ  Ｒｅｌ−８において、ＰＣＨは、いずれかのサブフレームにおいてＦＤＤに対する｛９｝、｛４，９｝および｛０，４，５，９｝と、ＴＤＤに対する｛０｝、｛０，５｝、｛０，１，５，６｝とからの構成選択セットから送られ得る。ＰＣＨは、対応するＰＤＣＣＨにおいて与えられたページングＲＮＴＩ（Ｐ−ＲＮＴＩ）によって識別されたＰＤＳＣＨ内を送信される。
・セル固有参照信号（ＣＲＳ）：ＣＲＳは、ダウンリンク信号強度測定および同じリソースブロックにおいてＰＤＳＣＨのコヒーレント復調の役に立つ。ＣＲＳは、また、ＰＳＳおよびＳＳＳ上でのセル識別の照合のためにも用いられる。ＣＲＳ送信は、各通常のサブフレーム内に同じパターンを有し、ノーマルＣＰサブフレームにおける４つの送信アンテナポートのうちの最大のものによってシンボル｛０，１，４，７，８，１１｝に生じ、拡張ＣＰサブフレームにおいて、シンボル｛０，１，３，６，７，９｝に生じる。各ＣＲＳシンボルは、図２および図３に示されるように、周波数領域のリソースブロック次元毎のポート毎に２つのＣＲＳサブキャリアを搬送する。ＣＲＳの実際のサブキャリアインデックスは、
【００１４】
【数３】
0005876880.tif 000005
【００１５】
によってシフトされ、ここで、
【００１６】
【数４】
0005876880.tif 000006
【００１７】
は、セル識別である。ＬＴＥ  Ｒｅｌ−８もＵＥ固有参照信号（ＵＲＳ）のタイプをアンテナポート５において定義する。ＰＲＢ毎に１２のＵＲＳ  ＲＥがあり、図２に示されるように、４つのシンボルをノーマルＣＰサブフレームにおいて占め、図３で示されるように、３つのシンボルを拡張ＣＰサブフレームにおいて占める。ＵＲＳの実際のサブキャリアインデックスは、
【００１８】
【数５】
0005876880.tif 000007
【００１９】
によってシフトされる。ＣＲＳは、全バンド幅に渡って割り振られるが、ＵＲＳは、ＰＲＢ毎の基準によって割り当てられる。図２および図３は、
【００２０】
【数６】
0005876880.tif 000008
【００２１】
を有するＣＲＳおよびＵＲＳの例を示す。
【００２２】
３ＧＰＰ  ＬＴＥがＲｅｌ−８からＲｅｌ−１０（ＬＴＥ−ＡｄｖａｎｃｅまたはＬＴＥ−Ａとも呼ばれる）に進化するにつれ、サポートされるアンテナポートの大きな数（８つまで）に起因して、ＣＲＳのような参照信号を全てのポートにおいて維持することは多大な量の製造間接費をかけ得る。ダウンリンク参照信号役割は、以下の異なるＲＳに分離させられ得る。
・復調参照信号（ＤＭＲＳ）：このタイプのＲＳは、コヒーレントチャネル推定のために用いられ、十分な密度を有するべきであり、ＵＥ毎の基準によって送られるべきである。
・チャネル状態情報参照信号：このタイプのＲＳは、コヒーレントチャネル推定のために用いられ、十分な密度を有するべきであり、ＵＥ毎の基準によって送られるべきである。
【００２３】
３ＧＰＰ標準団体によると、
・ＤＭＲＳは、ＰＲＢ基準によって割り当てられ得る。各ＰＲＢのＤＭＲＳパターンは、図２に示されるように、ノーマルＣＰサブフレームにおいて２４の固定ＲＥに配置され得るか、または図３に示されるように、拡張ＣＰサブフレームにおいて１６の固定ＲＥに配置され得る。
・ＣＳＩ−ＲＳは、全システムバンド幅に渡って割り振られる。ＮＡＮＴ∈｛２，４，８｝は、セル毎のＣＳＩ−ＲＳアンテナポートの数である。ＣＳＩ−ＲＳアンテナポートの数は、また、この出願においては、ＮＣＳＩＲＳとも呼ばれることに注意されたい。ＮＡＮＴとＮＣＳＩＲＳとの両方は、この出願の以下の説明において交換可能である。次いで、各ＰＲＢにおいて、｛０，１・・・ＮＡＮＴ−１｝とラベル付与されたＮＡＮＴのＣＳＩ−ＲＳ  ＲＥがあり、そのうちの２ｊおよび２ｊ＋１によってインデックス付与された２つ毎のＣＳＩ−ＲＳ  ＲＥは、符号多重化されている。
・ノーマルＣＰサブフレームにおけるＮＡＮＴ＝８（８−Ｔｘ）によるＣＳＩ−ＲＳ割り振りは、図２に示され、ここで、図２（ａ）は、ポート５  ＵＲＳと共存し得ないＣＳＩ−ＲＳ再利用パターンを示し、図２（ｂ）は、ポート５  ＵＲＳと共存し得るＣＳＩ−ＲＳ再利用パターンを示す。図２（ａ）のＣＳＩ−ＲＳ再利用パターンは、フレーム構造１（ＦＳ−１、つまりＦＤＤ）とフレーム構造２（ＦＳ−２、つまりＴＤＤ）との両方に適用され得るが、図２（ｂ）のＣ  ＣＳＩ−ＲＳ再利用パターンは、ＦＳ−２（ＴＤＤ）のみに適用され得る。
・拡張ＣＰサブフレームにおけるＮＡＮＴ＝８（８−Ｔｘ）によるＣＳＩ−ＲＳ割り振りは、図３に示されており、ここで、図３（ａ）は、ポート５  ＵＲＳと共存し得ないＣＳＩ−ＲＳ再利用パターンを示し、図３（ｂ）は、ポート５  ＵＲＳと共存し得るＣＳＩ−ＲＳ再利用パターンを示す。図３（ａ）のＣＳＩ−ＲＳ再利用パターンは、フレーム構造１（ＦＳ−１、つまりＦＤＤ）とフレーム構造２（ＦＳ−２、つまりＴＤＤ）との両方に適用され得る。図３（ｂ）のＣＳＩ−ＲＳ再利用パターンは、ＦＳ−２（ＴＤＤ）のみに適用され得る。
・ＮＡＮＴ＝｛２，４｝（２−Ｔｘおよび４−Ｔｘ）に対して、ＣＳＩ−ＲＳ  ＲＥ配置は、８−Ｔｘ  ＣＳＩ−ＲＳ  ＲＥ配置の中でネストされる。ＮＡＮＴ＝２のとき、ＲＥ＃＜０，１＞によって識別された２−Ｔｘ  ＣＳＩ−ＲＳ再利用パターンは、任意の８−Ｔｘ再利用パターンにおいて＜２ｊ，２ｊ＋１＞によってラベル付与された任意のＲＥにマッピングされ得る。ＮＡＮＴ＝４のとき、ＲＥ＃＜０，１，２，３＞によって識別された４−Ｔｘ  ＣＳＩ−ＲＳ再利用パターンは、任意の８−Ｔｘ再利用パターンにおいて＜４ｊ，４ｊ＋１，４ｊ＋２，４ｊ＋３＞によってラベル付与された任意のＲＥにマッピングされ得る。
【００２４】
ＣＳＩ−ＲＳは、サービングセルの８つまでのアンテナポートによってＭＩＭＯ送信をサポートするセル内測定のために送信されるだけではなく、ユーザー機器（ＵＥ）または移動局が周囲セルの基地局から送信されたＣＳＩ−ＲＳを測定する必要があり、次いで、それら測定をサービングセルに報告する必要がある多地点協調（ＣｏＭＰ）送信におけるセル間測定のためにも送信される。ＣＳＩ−ＲＳがＵＥによって測定される必要がある全てのセルは、そのＵＥに対する測定セットを構築する。
【００２５】
しかし、ＵＥが非サービングセルから始まった信号を測定することは、常には可能ではない。なぜならば、セルが同じ周波数上で作動している場合、上の信号と、サービングセル内を送信された強い信号との間に干渉があり得るからである。セル間ＣＳＩ−ＲＳにおける測定品質を維持するために、３ＧＰＰ  ＬＴＥにおいて、ＣＳＩ−ＲＳを送信するために、周囲のセルによって用いられる同じＲＥ配置を占めるＰＤＳＣＨ  ＲＥがミュートされる（ゼロ電力によって送信される）ことが提案される。
【００２６】
さらに、部分的ミュートも、周囲のセルのＣＳＩ−ＲＳ  ＲＥと衝突するＰＤＳＣＨ  ＲＥのうちの一部分のみをミュートするために提案された。ここで、送信は、周囲のセルのＣＳＩ−ＲＳ  ＲＥと衝突するＲＥのうちの残り上でミュートされない。これは、よりよいトレードオフをＣｏＭＰパフォーマンスと、オーバーヘッドをミュートすることの間に提供し、システムにおけるＣｏＭＰトラヒックの実際の容量に基づき、柔軟な調節メカニズムを提供することである。
【発明の概要】
【発明が解決しようとする課題】
【００２７】
しかし、先行技術は、ＣＳＩ−ＲＳ信号の構成および送信（つまり、どのようにＵＥに測定セットにおけるＣＳＩ−ＲＳ  ＲＥ配置を知らせるか）を提供しない。加えて、ミュートすることに関するＣＳＩ−ＲＳを構成するニーズがさらに存在する。
【課題を解決するための手段】
【００２８】
（発明の概要）
本開示の実施形態は、先行技術において示された問題のうちの１つ以上に関する課題を解決し、添付の図面に関連し、以下の詳細な説明の例示的実施形態を参照することによって、容易に明らかになるさらなる特徴を提供することに関する。
【００２９】
本発明の実施形態は、ＣＳＩ−ＲＳおよびＣＳＩ−ＲＳ再利用情報を含むＲＥをＵＥに送信するシステムおよび方法に関する。方法は、サブフレームの配置と、ＣＳＩ−ＲＳ再利用パターンが送信されるＰＲＢ内のサブフレーム内のＲＥの配置を識別することを含む。方法は、識別された配置を１つ以上のＵＥに提供することをさらに含む。さらなる実施形態において、ＣＳＩ−ＲＳは、
【００３０】
【数７】
0005876880.tif 000009
【００３１】
を満たすフレームインデックスｎｆおよびインデックスｎｓによって、予め定められた表に基づいて規定され得る。
【００３２】
さらなる実施形態において、ＣＳＩ−ＲＳ再利用パターンをＰＲＢ内に含むＲＥは、再利用パターンのＣＳＩ−ＲＳポートの数（ＮＡＮＴ）およびＲＥ＃０（＜ｋｒ，０，ｌｒ，０＞）の配置によって規定され、ＲＥの配置およびＣＳＩ−ＲＳポート（ＮＡＮＴ）は、拡張サイクリックプリフィクス、ノーマルサイクリックプリフィクスおよびノーマルサイクリックプリフィクスＦＳ−１と拡張サイクリックプリフィクスＦＳ−２において、ＮＡＮＴ∈｛２，４，８｝に対して、別個または連帯的に符号化され得る。符号化パターンは、１つ以上の予め定められた表によって提供され得る。
【００３３】
さらなる実施形態において、＜ｋ’，ｌ’，ｎｓ＞は、ＣＳＩ−ＲＳ再利用パターンのＣＳＩ−ＲＳ  ＲＥの配置をＮＣＳＩＲＳポートにおいて規定し得る。ｋ’は、０≦ｋ’＜１２に対するサブキャリアインデックスを表しており、ｌ’は、
【００３４】
【数８−１】
0005876880.tif 000010
【００３５】
に対する直交周波数分割多重（ＯＦＤＭ）シンボルインデックスを表しており、ここで、
【００３６】
【数８】
0005876880.tif 000011
【００３７】
は、ノーマルサイクリックプリフィクスサブフレームに対して７であるか、または拡張サイクリックプリフィクスサブフレームに対して６である。さらに、ｎｓは、０≦ｎｓ＜２０に対するフレーム毎のスロットインデックスを表し得る。所与のＣＳＩ−ＲＳ再利用パターンに対して、そのＲＥ＃０の配置は、＜ｋｒ，０，ｌｒ，０＞または＜ｋ’，ｌ’，ｎｓ＞のどちらかのフォーマットによって定義され得、それらの両方とも、ｋｒ，０＝ｋ’および
【００３８】
【数８−２】
0005876880.tif 000012
【００３９】
に従って、互いに同じである。加えて、参照信号シーケンスｒ（ｍ）は、
【００４０】
【数１１】
0005876880.tif 000013
【００４１】
に従ったリソースグリッドに対する参照シンボルとして用いられる複素数値変調シンボル
【００４２】
【数１０】
0005876880.tif 000014
【００４３】
にマッピングされ得る。＜ｋ’，ｌ’，ｎｓ＞によって規定されるＣＳＩ−ＲＳ  ＲＥに関する実施形態は、拡張サイクリックプリフィクス、ノーマルサイクリックプリフィクスおよびノーマルサイクリックプリフィクスＦＳ−１と拡張サイクリックプリフィクスＦＳ−２において、ＮＡＮＴ∈｛２，４，８｝に対して、別個または連帯的に符号化され得る。符号化パターンは、１つ以上の予め定められた表によって提供され得る。
【００４４】
発明の実施形態に従って、ＵＥは、ＰＲＢ内の１つ以上のＲＥ配置および属性のセットを知らされ得、ここで、ＲＥ配置の各セットは、ＣＳＩ−ＲＳ  ＲＥのサブセットである。ＣＳＩ−ＲＳ送信に関連付けられたＰＤＳＣＨが次いで、ミュートされ得る。一実施形態において、２つのＰＤＳＣＨ  ＲＥが両方とも、知らされたＲＥ配置のセット内において＜２ｊ，２ｊ＋１＞でインデックス付与された１対の符号分割多重（ＣＤＭ）ＣＳＩ−ＲＳ  ＲＥと同じ２つのＲＥを占める場合、２つのＰＤＳＣＨ  ＲＥは、ミュートされ得る。さらなる実施形態において、２つのＲＥのうちの１つが、非ＰＤＳＣＨ信号を搬送する知らされたＲＥ配置のセット内における＜２ｊ，２ｊ＋１＞でインデックス付与された１対のＣＤＭ  ＣＳＩ−ＲＳ  ＲＥと同じ２つのＲＥ配置を占める場合、２つのＲＥはミュートされない。
【００４５】
さらなる実施形態において、ミュートされたＲＥに関連付けられた属性は、ＲＥのセットがミュートされ、部分的ミュートパラメータがセル領域、時間領域、周波数領域および空間領域部分的ミュートに対して用いられるサブフレームの例を含み得る。実施形態に従って、ミュートされたＲＥの所与のセットに対するサブフレーム例は、
【００４６】
【数１２】
0005876880.tif 000015
【００４７】
を満たすフレームインデックスｎｆおよびスロットインデックスｎｓによって規定される。ここで、ＴｍｕｔｉｎｇおよびΔｍｕｔｉｎｇは、ＵＥに高層ＲＲＣパラメータＩｍｕｔｉｎｇによって予め定められた表に基づいて通知される。
【００４８】
さらなる実施形態に従って、ミュートされたＲＥの各セットは、１つ以上のＵＥに、ＣＳＩ−ＲＳ測定セットの各セルを示す同じ通知フォーマットによって干渉された各セルに割り当てられたＣＳＩ−ＲＳ再利用パターンとして直接通知され得る。実施形態において、ミュートされたＲＥの各セットは、ビットマップによって通知され得、ビットマップの各ビットは、ＰＲＢのＣＳＩ−ＲＳのＣＤＭペアにマッピングされた対応するＲＥがミュートされているかどうかを示し得る。予め定められた表は、ＣＳＩ−ＲＳ  ＲＥおよびミュートされたＲＥに対応する符号化および配置情報を提供するために用いられ得る。
【００４９】
さらなる実施形態において、ＣＳＩ−ＲＳをミュートのために送信するサブフレーム例は、ＮＣＳＩＲＳ∈｛２，４，８｝（ＮＣＳＩＲＳは、ＣＳＩ−ＲＳポートの数である）と、ＮＣＳＩＲＳポートを割り当てられたＣＳＩ−ＲＳパターンのＣＳＩ―ＲＳ  ＲＥ＃０の配置を規定する＜ｋ’，ｌ’，ｎｓ＞（０≦ｋ’＜１２の場合、ｋ’は、サブキャリアインデックスを表し、
【００５０】
【数８−３】
0005876880.tif 000016
【００５１】
の場合、ｌ’は、スロットのＯＦＤＭシンボルインデックスを表し、
【００５２】
【数８】
0005876880.tif 000017
【００５３】
は、ノーマルサイクリックプリフィクスサブフレームに対して７であるか、または拡張サイクリックプリフィクスサブフレームに対して６である）とを含む。加えて、ｎｓは、０≦ｎｓ＜２０に従ったフレーム毎のスロットインデックスを表す。さらなる実施形態に従って、参照信号シーケンスｒ（ｍ）は、
【００５４】
【数１１】
0005876880.tif 000018
【００５５】
に従ったリソースグリッドに対する参照シンボルとして用いられる複素数値変調シンボル
【００５６】
【数１０】
0005876880.tif 000019
【００５７】
にマッピングされ得る。
【図面の簡単な説明】
【００５８】
発明のさまざまな例示的実施形態が、以下の図を参照して、下で詳細に説明される。図面は、例示的目的のみのために提供され、発明の例示的実施形態を描写しているに過ぎない。これらの図面は、読者の発明の理解を容易にするために提供され、発明の幅、範囲または適用可能性を限定していると考えられるべきではない。例示の明確さおよび簡素さのために、これらの図面は必ずしも一定の縮小比で描かれているわけではないことに注意されたい。
【図１】図１は、本発明の一実施形態に従って、送信を送受信する例示的ワイヤレス通信システムを例示する。
【図２Ａ】図２（ａ）は、本発明の実施形態に従ったＰＤＣＣＨ、ＤＭＲＳ、ＣＲＳおよびＣＳＲ−ＲＳ  ＲＥを含むノーマルＣＰサブフレームを有する例示的ＰＲＢを例示する。
【図２Ｂ】図２（ｂ）は、本発明の実施形態に従ったＰＤＣＣＨ、ＤＭＲＳ、ＣＲＳ、ポート５ＵＲＳおよびＣＳＩ−ＲＳ  ＲＥを含むノーマルＣＰを有する例示的ＰＲＢを例示する。
【図３Ａ】図３（ａ）は、本発明の実施形態に従ったＰＤＣＣＨ、ｐ＜４に対するアンテナポートｐのＣＲＳ、ＤＭＲＳおよびＣＳＩ−ＲＳ  ＲＥを含む拡張ＣＰサブフレームを有する例示的ＰＲＢを例示する。
【図３Ｂ】図３（ｂ）は、本発明の実施形態に従ったＰＤＣＣＨ、ｐ＜２に対するアンテナポート２のＣＲＳ、ＤＭＲＳおよびＣＳＩ−ＲＳ  ＲＥを含む拡張ＣＰサブフレームを有する例示的ＰＲＢを例示する。
【図４】図４は、本発明の実施形態に従った例示的ミュート構成を例示する。
【発明を実施するための形態】
【００５９】
（例示的実施形態の詳細な説明）
以下の説明は、当業者が発明を作り、用いることを可能にするために示される。特定のデバイス、技術および用途の説明は、例としてのみ提供される。本明細書において説明された例へのさまざまな改変は、当業者に容易に明らかであり、本明細書において定義される一般原理は、発明の精神および範囲を逸脱することなく、他の例および用途に適用され得る。したがって、本発明は、本明細書において説明され、示された例に限定される意図はなく、特許請求の範囲と同一の範囲が認められる意図である。
【００６０】
「例示的」という言葉は、本明細書においては「例または例示として機能する」ことを意味するために用いられる。本明細書において「例示的」として説明される任意の局面またはデザインは、必ずしも他の局面またはデザインに対して好ましいか、あるいは有利であるとして解釈されない。
【００６１】
ここで、主題の技術の局面への参照が詳細になされる。技術の例は、添付の図面および表において例示される。類似の参照番号は、一貫して類似の要素を指す。
【００６２】
本明細書において開示される処理におけるステップの特定の順番または階層は、例示的アプローチの例であることが理解されるべきである。デザインの好ましさに基づいて、処理におけるステップの特定の順番または階層は、再配列され得るが、本発明の範囲内のままであることは、理解されるべきである。添付の方法は、サンプルの順番でのさまざまなステップの本要素を主張し、示される特定の順番または階層に限定されることを意味しない。
【００６３】
図１は、本発明の一実施形態に従った、信号を送受信する例示的ワイヤレス通信システム１００を例示する。システム１００は、本明細書において詳細に説明される必要がない公知または従来の動作特徴をサポートするように構成されているコンポーネントおよび要素を含み得る。システム１００は、基地局トランシーバーモジュール１０３、基地局アンテナ１０６、基地局プロセッサモジュール１１６および基地局メモリモジュール１１８を有する基地局１０２を一般的に含む。システム１００は、移動局トランシーバー１０８、移動局アンテナ１１２、移動局メモリモジュール１２０、移動局プロセッサモジュール１２２およびネットワーク通信モジュール１２６を有する移動局１０４を一般的に含む。基地局１０２と移動局１０４との両方は、本発明の範囲から逸脱することなく、追加または代替のモジュールを含み得る。さらに、１つのみの基地局１０２および１つのみの移動局１０４が例示的システム１００に示されるが、任意の数の基地局１０２および移動局１０４が含まれ得、発明の範囲内であり得る。
【００６４】
システム１００のこれらの要素および他の要素は、データ通信バス（例えば、１２８、１３０）または任意の適切な相互接続配列を用いて、一緒に相互接続され得る。そのような相互接続は、ワイヤレスシステム１００のうちのさまざまな要素間の通信を容易にする。当業者は、本明細書において開示される実施形態に関連して説明されるさまざまな例示的ブロック、モジュール、回路および処理ロジックがハードウェア、コンピュータ読み取り可能ソフトウェア、ファームウェアまたはそれらの任意の実用的な組み合わせにおいてインプリメントされ得ることを理解する。このハードウェア、ファームウェアおよびソフトウェアの交換可能性および互換性を明確に例示するために、さまざまな例示的コンポーネント、ブロック、モジュール、回路およびステップが、一般的にそれらの機能の観点から説明される。そのような機能がハードウェア、ファームウェアまたはソフトウェアとしてインプリメントされるかどうかは、特定の用途およびシステム全体に課されたデザイン制限に依る。本明細書において説明される概念に精通する者は、各特定の用途に対して適切な様態でそのような機能をインプリメントし得るが、そのようなインプリメンテーションの決定は、本発明の範囲から逸脱する原因となると解釈されるべきではない。
【００６５】
例示的システム１００において、基地局トランシーバー１０３および移動局トランシーバー１０８は、各々、送信器モジュールおよび受信器モジュール（示されていない）を含む。加えて、この図には示されていないが、当業者は、送信器が２つ以上の受信器に送信し得ることと、複数の送信器が同じ受信器に送信し得ることとを認識する。ＴＤＤシステムにおいて、送信および受信タイミングギャップが保護周波数帯として存在することによって、送信から受信、および受信から送信の転移から保護する。
【００６６】
図１に描写される特定の例示的システムにおいて、「アップリンク」トランシーバー１０８は、アンテナをアップリンク受信器と共有する送信器を含む。あるいは、複信スイッチは、アップリンク送信器または受信器をアップリンクアンテナへ時複信の様態で連結し得る。同様に、「ダウンリンク」トランシーバー１０３は、ダウンリンクアンテナをダウンリンク送信器と共有する受信器を含む。あるいは、ダウンリンク複信スイッチは、ダウンリンク送信器または受信器をダウンリンクアンテナへ時複信の様態で連結し得る。
【００６７】
移動局トランシーバー１０８および基地局トランシーバー１０３は、ワイヤレスデータ通信リンク１１４を介して通信するように構成されている。移動局トランシーバー１０８および基地局トランシーバー１０２は、特定のワイヤレス通信プロトコルおよび変調方式をサポートし得る適切に構成されているＲＦアンテナ配列１０６／１１２と協働する。例示的実施形態において、移動局トランシーバー１０８および基地局トランシーバー１０２は、Ｔｈｉｒｄ  Ｇｅｎｅｒａｔｉｏｎ  Ｐａｒｔｎｅｒｓｈｉｐ  Ｐｒｏｊｅｃｔロングタームエボリューション（３ＧＰＰ  ＬＴＥ）、Ｔｈｉｒｄ  Ｇｅｎｅｒａｔｉｏｎ  Ｐａｒｔｎｅｒｓｈｉｐ  Ｐｒｏｊｅｃｔ  ２  ウルトラモバイルブロードバンド（３Ｇｐｐ２  ＵＭＢ）、時分割同期符号分割多元接続（ＴＤ−ＳＣＤＭＡ）、Ｗｉｒｅｌｅｓｓ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）および当分野において公知の他の通信標準のような業界標準をサポートするように構成されている。移動局トランシーバー１０８および基地局トランシーバー１０２は、ＩＥＥＥ８０２．１６の将来のバリエーションを含む代替または追加のワイヤレスデータ通信プロトコル（例えば、８０２．１６ｅ、８０２．１６ｍなど）をサポートするように構成され得る。
【００６８】
ある実施形態に従って、基地局１０２は、無線リソース割り振りおよび割り当てを制御し、移動局１０４は、割り振りプロトコルを復号化し、解釈するように構成されている。例えば、そのような実施形態は、複数の移動局１０４が、１つの基地局１０２によって制御される同じ無線チャネルを共有するシステムにおいて採用され得る。しかし、代替の実施形態において、移動局１０４は、特定のリンクに対する無線リソースの割り振りを制御し、本明細書において説明されるように、無線リソースコントローラーまたは割り振り器の役割をインプリメントするように構成されている。
【００６９】
プロセッサモジュール１１６／１２２は、本明細書において説明する機能を実行するようにデザインされた汎用プロセッサ、連想メモリ、デジタルシグナルプロセッサ、特定用途向け集積回路、フィールドプログラマブルゲートアレイ、任意の適切なプログラマブルロジックデバイス、個別ゲートまたはトランジスターロジック、個別ハードウェアコンポーネントまたはそれらの任意の組み合わせでインプリメントあるいは実現化され得る。このようにして、プロセッサは、マイクロプロセッサ、コントローラー、マイクロコントローラー、ステートマシンなどとして実現化され得る。プロセッサは、また、計算機器の組み合わせ（例えば、デジタルシグナルプロセッサおよびマイクロプロセッサの組み合わせ、複数のマイクロプロセッサ、デジタルシグナルプロセッサコアと協働する１つ以上のマイクロプロセッサ、または任意の他のそのような構成）としてインプリメントされ得る。プロセッサモジュール１１６／１２２は、システム１００の動作に関連した機能、技術および処理タスクを行うように構成されている処理ロジックを含む。特に、処理ロジックは、本明細書において説明されるフレーム構造パラメータをサポートするように構成されている。実用的な実施形態において、処理ロジックは、基地局に常駐し得るか、および／または基地局トランシーバー１０３と通信するネットワークアーキテクチャの一部であり得る。
【００７０】
本明細書において開示される実施形態に関連して説明される方法またはアルゴリズムのステップは、プロセッサモジュール１１６／１２２によって実行されるハードウェア、ファームウェア、ソフトウェアモジュールまたはそれらの任意の実用的な組み合わせにおいて直接具現化され得る。ソフトウェアモジュールは、メモリモジュール１１８／１２０に常駐し得、メモリモジュール１１８／１２０は、ＲＡＭメモリ、フラッシュメモリ、ＲＯＭメモリ、ＥＰＲＯＭメモリ、ＥＥＰＲＯＭメモリ、レジスター、ハードディスク、リムーバブルディスク、ＣＤ−ＲＯＭ、または当分野において公知の記憶装置媒体の任意の他の形態として実現化され得る。この点について、メモリモジュール１１８／１２０は、プロセッサモジュール１１６／１２０がメモリモジュール１１８／１２０から情報を読み込め得、情報を書き込め得るように、それぞれ、プロセッサモジュール１１８／１２２に連結され得る。例として、プロセッサモジュール１１６、およびメモリモジュール１１８とプロセッサモジュール１２２、およびメモリモジュール１２０は、それぞれのＡＳＩＣに常駐し得る。メモリモジュール１１８／１２０は、また、プロセッサモジュール１１６／１２０に集積され得る。実施形態において、メモリモジュール１１８／２２０は、プロセッサモジュール１１６／２２２によって実行されるための指令の実行中に一時変数または他の中間情報を記憶するキャッシュメモリを含み得る。メモリモジュール１１８／１２０は、また、プロセッサモジュール１１６／１２０によって実行されるための指令を記憶する不揮発性メモリを含み得る。
【００７１】
メモリモジュール１１８／１２０は、発明の例示的実施形態に従ったフレーム構造データベース（示されていない）を含み得る。フレーム構造パラメータデータベースは、必要に応じて、データを記憶、維持および提供するように構成され得ることによって、下で説明される様態でシステム１００の機能をサポートする。さらに、フレーム構造データベースは、プロセッサ１１６／１２２に連結されたローカルデータベースであり得るか、または、リモートデータベース、例えば、中央ネットワークデータベースなどであり得る。フレーム構造データベースは、限定なしに、下で説明されるように、フレーム構造パラメータを維持するように構成され得る。このようにして、フレーム構造データベースは、フレーム構造パラメータを記憶する目的のために、表を含み得る。
【００７２】
ネットワーク通信モジュール１２６は、基地局トランシーバー１０３と、基地局トランシーバー１０３が接続されるネットワークコンポーネントとの間の双方向通信を可能にするシステム１００のハードウェア、ソフトウェア、ファームウェア、処理ロジックおよび／または他のコンポーネントを一般的に表す。例えば、ネットワーク通信モジュール１２６は、インターネットまたはＷｉＭＡＸトラヒックをサポートするように構成され得る。一般的な配備において、限定なしに、ネットワーク通信モジュール１２６は、基地局トランシーバー１０３が従来のイーサネット（登録商標）ベースコンピュータネットワークに通信し得るように、８０２．３イーサネット（登録商標）インターフェイスを提供する。このようにして、ネットワーク通信モジュール１２６は、コンピュータネットワークへの接続のための物理インターフェイス（例えば、移動通信交換局（ＭＳＣ））を含み得る。
【００７３】
本開示において説明される機能は、基地局１０２または移動局１０４のどちらかによって実行され得ることに注意されたい。移動局１０４は、移動電話のような任意のユーザーデバイスであり得、移動局は、また、ＵＥと呼ばれ得る。
【００７４】
本明細書において開示される実施形態は、特定用途を有するが、第四世代ワイヤレスシステムに対する候補の１つであるロングタームエボリューション（ＬＴＥ）システムに限定されない。本明細書において説明される実施形態は、セルパターン毎のさまざまな例示的ＣＳＩ−ＲＳを提供する。これらセルパターン毎のＣＳＩ−ＲＳの各々は、発明のさまざまな例示的実施形態に従って、単一のセルに属し得るＣＳＩ−ＲＳ  ＲＥのレイアウトを例示する。
【００７５】
例示的実施形態に従って、ＣＳＩ−ＲＳ配置は、ＵＥに２つの例示的情報を知らせるように構成されている。それは、どのダウンリンクサブフレームと、それらサブフレームのどのＲＥとが、割り当てられたＣＳＩ−ＲＳ再利用パターンを搬送するかというものである。以下の例示的構成メカニズムは、ダウンリンクサブフレームにおいて、ＣＳＩ−ＲＳ送信サイクルおよびサブフレームオフセットを構成するために用いられ得る：
・ＴＣＳＩＲＳ：ＣＳＩ−ＲＳに対するセル固有サブフレーム期間；
・ΔＣＳＩＲＳ：期間毎のＣＳＩ−ＲＳサブフレームに対するセル固有サブフレームオフセット；
・ｎｆ：無線フレームのインデックス；
・ｎｓ：１つの無線フレーム内のスロットインデックス。
【００７６】
ＣＳＩ−ＲＳを送信する例示的サブフレーム例は、
【００７７】
【数７】
0005876880.tif 000020
【００７８】
を満たすｎｆおよびｎｓによって規定され、ここで、ＴＣＳＩＲＳおよびΔＣＳＩＲＳは、特定の予め定められた表に基づいて、ＵＥに無線リソース制御（ＲＲＣ）パラメータＩＣＳＩＲＳによって通知され得る。例示的表は、表２において提供される。そのような表の一例は、Ｔ１＝５、Ｔ２＝１０、Ｔ３＝１５、Ｔ４＝２０、Ｔ５＝３０、Ｔ６＝４０などを設定することによって、与えられ得る。
【００７９】
【表２】
0005876880.tif 000021
【００８０】
図２および図３の例示的実施形態に例示されるように、各ＣＳＩ−ＲＳ再利用パターンを搬送するＲＥは、各ＰＲＢにおけるＣＳＩ−ＲＳポートの数およびＣＳＩ−ＲＳ  ＲＥ＃０の配置によって完全に決定される。１つのフレームワークは、ポート５  ＵＲＳと共存するＣＳＩ−ＲＳ再利用パターンをカバーするために作られ得る。別のフレームワークにおいては、ＣＳＩ−ＲＳ再利用パターンは、ポート５  ＵＲＳと共存しない。
・図２（ａ）および図２（ｂ）の再利用パターンは、同じ測定セットにおいてセルに割り当てられ得る。そのため、ノーマルＣＰシステムは、８つの８−Ｔｘ  ＣＳＩ−ＲＳ再利用パターン（５つを図２（ａ）から、３つを図２（ｂ）から）の全てを有する。
・図３（ａ）および図３（ｂ）の再利用パターンは、同じ測定セットにおいて共存し得る。そのため、拡張ＣＰシステムは、７つの８−Ｔｘ  ＣＳＩ−ＲＳ再利用パターン（４つを図３（ａ）から、３つを図３（ｂ）から）の全てを有し得る。
【００８１】
ＣＳＩ−ＲＳ  ＲＥ＃０の８−Ｔｘ再利用パターンに対する信号符号化は、
【００８２】
【数１３】
0005876880.tif 000022
【００８３】
の信号ビットを使用する０〜（Ｎ８Ｔｘ−１）によって識別され得る。これは、ＣＳＩ−ＲＳ  ＲＥ＃０の配置が＜ｋｒ，０，ｌｒ，０＞によって識別されることを想定し、ここで、ｋｒ，０、ｌｒ，０は、それぞれ、ｒ番目のＣＳＩ−ＲＳ再利用パターンに対する１つのＰＲＢ内のＲＥ＃０配置に対するサブキャリアオフセットおよびシンボルオフセットである。１つのＰＲＢ内のＣＳＩ−ＲＳ  ＲＥ＃０の異なる配置の全ての数は、ＮｍＴｘである。ここで、ｍは、ＣＳＩ−ＲＳポートの数である。信号符号化は、以下の例に例示される。
・例１：
【００８４】
【数１４】
0005876880.tif 000023
【００８５】
ここで、ＲＥ＃０配置の符号化は、表３に基づく。
・例２：
【００８６】
【数１５】
0005876880.tif 000024
【００８７】
ここで、ＲＥ＃０配置の符号化は、表４に基づく。
・例３：
【００８８】
【数１６】
0005876880.tif 000025
【００８９】
ここで、ＲＥ＃０配置の符号化は、表５に基づく。
【００９０】
ネストされた４Ｔｘおよび２Ｔｘ  ＣＳＩ−ＲＳに対して、Ｎ４Ｔｘ＝２＊Ｎ８ＴｘおよびＮ２Ｔｘ＝４＊Ｎ８Ｔｘ：
【００９１】
【表３】
0005876880.tif 000026
【００９２】
【表４】
0005876880.tif 000027
【００９３】
【表５】
0005876880.tif 000028
【００９４】
表３、表４および表５における最初のＮ８Ｔｘ入力、および＜ｋｒ，０，ｌｒ，０＞を例示する対応する列が記録され得ることが予想される。したがって、結果の符号化信号も記録され得ることが予想される。
【００９５】
８−Ｔｘ再利用パターンにおけるＲＥ（ＲＥ＃１〜ＲＥ＃７）のうちの残りの配置は、ＲＥ＃０の配置が与えられたときに決定され得る。ｍ−Ｔｘ（ｍ＝ＮＡＮＴ∈｛２，４，８｝）再利用パターンに対するＲＥ＃０の配置は、２−Ｔｘおよび４−Ｔｘ  ＣＳＩ−ＲＳパターンのネスティング構造に起因して、ＣＳＩ−ＲＳポートの実際の数（ＮＡＮＴ）に基づいて、直接通知され得るか、または派生され得る。ＵＥにＣＳＩ−ＲＳポートの数（ＮＡＮＴ）と、割り当てられたｍ−Ｔｘ再利用パターンのＲＥ＃０の実際の配置を知らせるために使用される例示的実施形態は、以下の例に例示される：
例１：ＮＡＮＴおよび＜ｋｒ，０，ｌｒ，０＞の別個の符号化および直接の符号化：
この例示的通知方法において、ＮＡＮＴおよび割り当てられたＣＳＩ−ＲＳ  ＲＥ＃０配置は、別個に符号化される。Ｎ２Ｔｘ＝４＊Ｎ８Ｔｘもの異なるＲＥ＃０配置がある。この通知方法は、セル毎に
【００９６】
【数１７】
0005876880.tif 000029
【００９７】
ビットものコストがかかる。また、割り当てられたＣＳＩ−ＲＳ再利用パターンの＜ｋｒ，０，ｌｒ，０＞を符号化するために、４＊Ｎ８Ｔｘ入力の表を用いる。
【００９８】
例２：ＮＡＮＴおよび＜ｋｒ，０，ｌｒ，０＞の別個の符号化および非直接の符号化。ここで、＜ｋｒ，０，ｌｒ，０＞は、他のパラメータから派生する：
この例示的通知方法において、＜ｋｒ，０，ｌｒ，０＞は、ｆ（ｘ）∈｛０，１，２，３｝によってネストされた８−Ｔｘ  ＣＳＩ−ＲＳ再利用パターンから派生する。ｍ−Ｔｘ（ｍ＝ＮＡＮＴ）再利用パターンの＜ｋｒ，０，ｌｒ，０＞は、ネストされた８−Ｔｘ再利用パターンの＜ｋｒ，ｚ，ｌｒ，ｚ＞と等しく、ここで、ｚ＝ｍ・ｆ（ｘ，ｍ）である。関数ｆ（ｘ，ｍ）は予め定められ、パラメータｘは、セル識別パラメータ
【００９９】
【数４】
0005876880.tif 000030
【０１００】
であるか、または別のＲＲＣ通知パラメータのどちらかであり得る。
【０１０１】
【数４−１】
0005876880.tif 000031
【０１０２】
の場合、ｆ（ｘ，ｍ）の一例は、ＣＲＳ配備およびＣＳＩ−ＲＳ配備に基づいてセル識別要件の連結を減らす
【０１０３】
【数１８】
0005876880.tif 000032
【０１０４】
である。ここで、全通知オーバーヘッドは、セル毎に５ビットであり、ここで、２ビットは、ＮＡＮＴを符号化し、３ビットは、ネストされた８−Ｔｘ再利用パターンの＜ｋｒ，０，ｌｒ，０＞を符号化する。ｘがＲＲＣ通知パラメータの場合、ｆ（ｘ，ｍ）＝ｘ∈｛０，１，２，３｝である。この場合、全通知オーバーヘッドは、セル毎に７ビットである。
【０１０５】
パラメータｘまたは関数ｆのどちらかの選択に対して、例２は、表３、表４および表５の対応する列によって与えられるように、ネストされた８−Ｔｘ  ＣＳＩ−ＲＳ再利用パターンの＜ｋｒ，０，ｌｒ，０＞を符号化するために、Ｎ８Ｔｘ入力の例示的表を使用する。
【０１０６】
例３：ＮＡＮＴおよび＜ｋｒ，０，ｌｒ，０＞の連帯符号化および通知：
ＮＡＮＴおよび＜ｋｒ，０，ｌｒ，０＞は、連帯的に符号化され得ることによって、セル毎に
【０１０７】
【数１９】
0005876880.tif 000033
【０１０８】
ビット通知を結果として生じさせる。この例は、（Ｎ８Ｔｘ＋Ｎ４Ｔｘ＋Ｎ２Ｔｘ）＝７Ｎ８Ｔｘ入力の表を有し得ることによって、割り当てられたＣＳＩ−ＲＳ再利用パターンの割り当てられたＮＡＮＴおよび＜ｋｒ，０，ｌｒ，０＞を符号化する。
【０１０９】
例４：例２および例３の例示的組み合わせ（つまり、ＮＡＮＴの連帯符号化および通知）。ここで、あるパラメータが＜ｋｒ，０，ｌｒ，０＞を派生するために用いられる：
ｍ−Ｔｘ（ｍ＝ＮＡＮＴ）再利用パターンの割り当てられた＜ｋｒ，０，ｌｒ，０＞は、ネストされた８−Ｔｘ再利用パターンの＜ｋｒ，ｚ，ｌｒ，ｚ＞に等しく、ここで、ｚおよびＮＡＮＴは、例示的表６に従って、連帯的に符号化され、ここで、ＵＥは、ＲＲＣ通知ＣＳＩ−ＲＳ構成インデックスＪＣＳＩＲＳによって、再利用パターン配置を知らされる。第一の列ＪＣＳＩＲＳにおける入力、ＣＳＩ−ＲＳポートの数ｍ＝ＮＡＮＴおよび表６のネストされた８−Ｔｘ  ＣＳＩ−ＲＳパターンにおけるＲＥ＃０の配置は、再整理され得、発明の範囲内であり得る。例４における例示的表は、表３、表４、表５の対応する列によって与えられるネストされた８−Ｔｘ  ＣＳＩ−ＲＳ再利用パターンの＜ｋｒ，０，ｌｒ，０＞を符号化するために、Ｎ８−Ｔｘ入力を使用する。例４は、セル毎に６ビット通知までを用い得、ここで、３ビットは、ＪＣＳＩＲＳを示し、３ビットは、表３、表４および表５の対応する入力を示す。
【０１１０】
【表６】
0005876880.tif 000034
【０１１１】
別の例示的実施形態において、セル毎に割り当てられたＣＳＩ−ＲＳ  ＲＥ配置は、＜ｋ’，ｌ’，ｎｓ＞およびＮＣＳＩＲＳの組み合わせによって識別され得、ここで、３つのパラメータ＜ｋ’，ｌ’，ｎｓ＞は、サブキャリアインデックスとしてのｋ’  （ｋ’，０≦ｋ’＜１２）、スロットのＯＦＤＭシンボルインデックスとしてのｌ’（
【０１１２】
【数８−４】
0005876880.tif 000035
【０１１３】
、ここで、
【０１１４】
【数８】
0005876880.tif 000036
【０１１５】
は、ノーマルＣＰサブフレームに対して７であるか、または拡張ＣＰサブフレームに対して６である）、およびフレーム毎のスロットインデックスとしてのｎｓ（ｎｓ，０≦ｎｓ＜２０）を表している。＜ｋ’，ｌ’，ｎｓ＞およびＮＣＳＩＲＳは、連帯的または別個のどちらかによって信号符号化され得る。ＬＴＥ−Ａにおいて、８つまでのＣＳＩ−ＲＳポートが、インデックス｛１５，１６，１７，１８，１９，２０，２１，２２｝によってラベル付与され得る。
【０１１６】
ＣＳＩ−ＲＳ送信のために構成されている例示的サブフレームにおいて、参照信号シーケンスｒ（ｍ）は、
【０１１７】
【数１１】
0005876880.tif 000037
【０１１８】
に従ったリソースグリッドｐに対する参照信号として用いられる複素数値変調シンボル
【０１１９】
【数１０】
0005876880.tif 000038
【０１２０】
にマッピングされ得る。ここで、
【０１２１】
【数２０】
0005876880.tif 000039
【０１２２】
であり、ここで、
【０１２３】
【数２１】
0005876880.tif 000040
【０１２４】
は、ＲＢ（または同等にＰＲＢ）のユニットにおける実際のシステムバンド幅であり、
【０１２５】
【数２２】
0005876880.tif 000041
【０１２６】
は、ＲＢ（または同等にＰＲＢ）のユニットにおける最大システムバンド幅を指す。複素数値ＣＳＩ−ＲＳ変調シンボル
【０１２７】
【数１０】
0005876880.tif 000042
【０１２８】
は、２つのコンポーネント（同じ２つのサブキャリアを共有する２つのポートのＣＳＩ−ＲＳ信号を直交させるＷａｌｓｈ符号ｗｌ”およびＣＳＩ−ＲＳシーケンス
【０１２９】
【数２５−１】
0005876880.tif 000043
【０１３０】
の生成物であることが分かり得る。ｍとｍ’の両方のインデックスは、周波数領域において各ＲＢに対して重要である。
【０１３１】
【数２３】
0005876880.tif 000044
【０１３２】
によってインデックス付与された送信されたＲＢに対して、ポート上を送信されたＣＳＩ−ＲＳシーケンスは、インデックス
【０１３３】
【数２４】
0005876880.tif 000045
【０１３４】
によって分割される。
【０１３５】
連帯符号化：例示的連帯信号符号化実施形態に従って、ＵＥは、２つの例示的表にそれぞれ対応する２つの例示的構成インデックスを通してＮＣＳＩＲＳおよび＜ｋ’，ｌ’，ｎｓ＞を連帯的に知らされる：
（ＫＣＳＩＲＳの構成インデックスの）１つの例示的表は、全ての許容された８ポート（ＮＣＳＩＲＳポートの代わりに）ＣＳＩ−ＲＳパターンに、＜ｋ０，ｌ’，ｎｓ＞と印されて、ＣＳＩ−ＲＳ  ＲＥ＃０の配置を列挙する。上は、ノーマルＣＰに対して例示的表７に、拡張ＣＰに対して例示的表８に例示される。
【０１３６】
（ＪＣＳＩＲＳの構成インデックスの）第二の例示的表は、許容されたＮＣＳＩＲＳおよびｋΔ＝ｋ’−ｋ０に対してパラメータｋΔを例示する。この第二の例示的表は、表９に例示される。
【０１３７】
例示的実施形態に従って、ＵＥは、ＫＣＳＩＲＳおよびＪＣＳＩＲＳの受信の際に、＜ｋ０，ｌ’，ｎｓ＞、ｋ’＝ｋ０＋ｋΔおよびＮＣＳＩＲＳを派生し得る。連帯符号化は、両方のＣＰタイプに対してオーバーヘッドを通知したときに、６ビット（各表のインデックスに対して３ビット）の全てを使用し得る。
【０１３８】
【表７】
0005876880.tif 000046
【０１３９】
【表８】
0005876880.tif 000047
【０１４０】
【表９】
0005876880.tif 000048
【０１４１】
別個の符号化：例示的実施形態に従って、別個の符号化は、各ＮＣＳＩＲＳ値に対して全ての可能な＜ｋ’，ｌ’，ｎｓ＞を計算し得る。例えば、別個の符号化は、ノーマルＣＰに対して３２のケース、拡張ＣＰに対して２８のケースを計算し得る。ある例示的整理規則が、別個に符号化するために使用され得る。例えば、例示的ビットフォーマットｂ４ｂ３ｂ２ｂ１ｂ０が与えられた場合、＜ｋ’，ｌ’，ｎｓ＞の計算インデックスは、ＮＣＳＩＲＳ＝２に対して規定され得る。例示的ビットフォーマットｂ４ｂ３ｂ２ｂ１ｂ０は、ＮＣＳＩＲＳ＝４に対して＜ｋ’，ｌ’，ｎｓ＞を規定するために用いられ得、ｂ４ｂ３ｂ２００は、ＮＣＳＩＲＳ＝８に対して＜ｋ’，ｌ’，ｎｓ＞を規定するために用いられ得る。
【０１４２】
上の符号化規則は、以下の例示的な利益を結果として生じさせ得る：ｂ１ｂ０は、８ポートＣＳＩ−ＲＳパターン内において２ポートＣＳＩ−ＲＳパターンの相対的な配置を規定し得る。ｂ１は、８ポートＣＳＩ−ＲＳパターン内において４ポートＣＳＩ−ＲＳパターンの相対的な配置を規定し得る。さらに、ＮＣＳＩＲＳ＝４に対するビットｂ０およびＮＣＳＩＲＳ＝８に対するｂ１ｂ０は、送信されずに保存され得、ＲＲＣ通知フォーマットにおける他の目的のために保存されるようにマークされ得る。当業者は、さまざまな他の利益が別個の符号化に関して開示されるさまざまな例示的実施形態に従って、観察および派生され得ることを理解する。
【０１４３】
別個の符号化の例示的実施形態に基づいた例示的インプリメンテーションは、ノーマルＣＰサブフレームに対して表１０に、拡張ＣＰサブフレームに対して表１１に与えられる。＜ｋ’，ｌ’，ｎｓ＞の符号化は、ＮＣＳＩＲＳ＝｛２，４，８｝に従って、表１０および表１１に与えられる。
【０１４４】
【表１０】
0005876880.tif 000049
【０１４５】
【表１１】
0005876880.tif 000050
【０１４６】
発明の例示的実施形態に従って、ＣＳＩ−ＲＳは、ｎｓ  ｍｏｄ  ２が、連帯信号暗号化方法を使用する例示的実施形態に対して表７および表８に記載された条件を満たすスロットにおいて送信され得る。表１０および表１１は、別個の信号符号化方法を使用する例示的実施形態に対して用いられ得る。表７および表８は、１つのスロット内においてシンボルインデックスｌ’を定義するが、表３は、１つのサブフレームまたは２つのスロット内においてシンボルインデックスｌｒ，０を定義することに注意されたい。最終的には、表３、表７および表８において開示される例示的実施形態によって使用されるＣＳＩ−ＲＳパターンは、図２〜図４に示されるものと同じであり得る。表の行は、再整理され得、この発明の範囲内にまだあり得ることがさらに予想される。
【０１４７】
発明は、一般的に、ＣＳＩ−ＲＳ  ＲＥの位置に関する。したがって、各ＲＥの値および対応するシーケンス関数ｒ（ｍ）の値は示されていない。しかし、上の式の関数ｒ（ｍ）は、その一般的形態にある。したがって、ＣＳＩ−ＲＳ配置は、さまざまなシーケンス関数ｒ（ｍ）と共に存在し得、発明の範囲内にまだあり得ることが予想される。さらに、表７〜表１１の表の行に対するさまざまな他のオプションおよび値が使用され得、発明の範囲内であり得ることが予想される。
【０１４８】
ミュートのインプリメンテーションおよび構成：例示的実施形態に従って、ＬＴＥ  Ｒｅｌ−１０におけるＣｏＭＰ特徴は、ＣｏＭＰ通知がＸ２インターフェイスに対して送信されないサイト内ＣｏＭＰに限定される。そのため、ＵＥがＲｅｌ１０内で観測する測定セットは、異なるセルサイトに属するセルに関する情報を含まない。同じサイトのセル間のＣＳＩ−ＲＳだけをミュートすることに利益が限定されている。加えて、ＣＳＩ−ＲＳ測定を容易にするために、サイト間カバレッジのより広いエリアにおけるミュートがさらに一層望ましい。
【０１４９】
ミュートがＲｅｌ１０内で定義される場合、ミュートされたＰＤＳＣＨ  ＲＥは、サービングセルが属する測定セットの全てのＣＳＩ−ＲＳ  ＲＥに衝突するＰＤＳＣＨ  ＲＥに限定されない場合がある。一部のＰＤＳＣＨ  ＲＥは、測定セットのいずれのＣＳＩ−ＲＳ  ＲＥとも衝突しない場合があるが、それらをミュートすることが依然として望ましくあり得る。一方で、測定セットのあるＣＳＩ−ＲＳ  ＲＥと衝突する一部のＰＤＳＣＨ  ＲＥがあり得、それらを部分的にミュートすることが望ましい。そのため、例えば、１つのセルのミュート構成は、セルが属する全ての測定セットに直接基づいているわけではない。代わりに、例えば、セル固有ミュートＲＥは、Ψのサブセットであるように構成され得る。ここで、各サブセットは、ミュートサイクルおよびサブフレームオフセットに関連付けられている。加えて、Ψは、図２および図３に例示されるように、全てのＣＳＩ−ＲＳ  ＲＥ配置を含み得る。
【０１５０】
Ψの特定の例示的実施形態が下に提供される。しかし、Ψは、当業者によって理解されるような複数の方法によって構築され得、まだ発明の範囲内にあり得る。
【０１５１】
例１  セル毎のＣＳＩ−ＲＳ基準の直接通知：各サブセットは、各干渉されたセルからのＣＳＩ−ＲＳ  ＲＥのセットとして定義される。サブセットの数は、サービングセルのＰＤＳＣＨによって干渉されるＣＳＩ−ＲＳ  ＲＥを有する非サービングセルの数に等しい。一般的に、サブセットの数は、せいぜい測定セットサイズに過ぎない。各サブセットは、同じ通知フォーマットを有し得ることによって、先に説明したように、ＣＳＩ−ＲＳ測定セットの各セルの配置を示す。
【０１５２】
例２  単一の８−Ｔｘパターン毎のビットマップ：各サブセットは、図２および図３の１つの８−Ｔｘ再利用パターンを構築する８つのＲＥを含む。各サブセットの構成は、以下の通知情報を含む：
１）表３、表４および表５の例示的実施形態に例示される３ビットで符号化された８−Ｔｘパターンのサブフレーム毎のＲＥ＃０のインデックス；
２）４ビットで符号化されたミュートビットマップであり、ここで、ビットマップのｊ番目のビットが１へのセットの場合、８−Ｔｘ再利用パターンにおける＜２ｊ，２ｊ＋１＞によってラベル付与された対応する配置の２つのＰＤＳＣＨ  ＲＥは、ミュートされる；ビットマップのｊ番目のビットが０へのセットの場合、８−Ｔｘ再利用パターンにおける＜２ｊ，２ｊ＋１＞によってラベル付与された２つのＲＥは、図３の例示的実施形態に示されるように、ミュートされない；
３）表２の例示的実施形態に示されるように、ミュートするためのサブフレーム断続的運転サイクルおよびサブフレームオフセット。
【０１５３】
例示的実施形態に従って、隣り合うセルが同じミュートサイクルおよび同じサブフレームオフセットによって構成されるように、ＣＳＩ−ＲＳ送信が配列されたとき、例２の方法を採用することが効率的であり得る。これは、４−Ｔｘまたは２−Ｔｘ  ＣＳＩ−ＲＳが同じ８−Ｔｘ再利用パターンにネストされる隣り合うセルに適用可能である。
【０１５４】
例３  サブフレームの全ての２−Ｔｘパターン毎のビットマップ：サービングセル毎の全てのＣＳＩ−ＲＳ関連ミュートは、１つのサブフレームにあり得る。例３の例示的実施形態に従って、１つのサブフレームの全ての可能なミュート配置は、４×Ｎ８Ｔｘビットを含む単一のビットマップによって識別される。このビットマップの各ビットは、全てのＰＲＢのＣＳＩ−ＲＳの４×Ｎ８ＴｘＣＤＭペアのうちの１つにマッピングされる対応する２つのＲＥがミュートされるかどうかを示し、ここで、Ｎ８Ｔｘは、表３、表４および表５の例示的符号化表に例示されるように、定義され得る。
【０１５５】
例３の各サブセットの構成は、以下の通知情報を含む：１）４×Ｎ８Ｔｘビットのミュートビットマップであり、ここで、ｊ番目のビットは、
【０１５６】
【数９】
0005876880.tif 000051
【０１５７】
番目の８−Ｔｘ再利用パターンの＜２×（ｊ  ｍｏｄ  ４）、２×（ｊ  ｍｏｄ  ４）＋１＞によってラベル付与された２つのＲＥがミュートされるべきかどうかを示す；２）表２の例示的実施形態に例示されるように、ミュートするためのサブフレーム断続的運転サイクルおよびサブフレームオフセット。
【０１５８】
例示的実施形態に従って、ミュートが、完全にミュートされた全ＲＥの一部（Ｐ／Ｑ）において行われるように、部分的ミュートが数理的に模擬実験され得る。さらなる例示的実施形態において、Ｐは、変数の数を減少させ、ミュート構成をシンプルにするために、１に等しく固定され得る。さらなる例示的実施形態において、全ミュートは、部分的ミュートの特別なケースと考えられ得、ここで、Ｑ＝Ｐ＝１である。さらなる例示的実施形態において、部分的ミュートは、セル領域、時間領域、周波数領域または空間領域あるいはそれらの任意の組み合わせにおいて実行され得る。
【０１５９】
例示的実施形態に従って、セル領域部分的ミュートは、セルのうちのいくつかにおいてミュートを可能にし、セルのうちの残りにおいてミュートを不可能にすることによってインプリメントされ得る。そのため、部分的ミュートは、セル毎の基準よりは、むしろシステム全体的と定義される。さらなる例示的実施形態に従って、任意の所与の単一のセルは、ミュートに関して２つの状態を有し得る：全くミュートしない、および全ミュートである。
【０１６０】
例示的実施形態に従って、時間領域部分的ミュートは、ミュートサイクルをＱ×ＴＣＳＩＲＳとして割り当てることによってインプリメントされ得、ここで、表２の例示的実施形態に例示されるように、ＴＣＳＩＲＳは、対応するＣＳＩ−ＲＳサイクルである。
【０１６１】
例示的実施形態に従って、周波数領域部分的ミュートは、インデックスｋがｋ  ｍｏｄ  Ｑ＝０を満たすＰＲＢのみにおいてミュートを適用することによってインプリメントされ得る。
【０１６２】
例示的実施形態に従って、空間領域部分的ミュートは、周波数領域部分的ミュートのバリエーションであり、ここで、異なるＣＳＩ−ＲＳポートは、周波数領域部分的ミュートに異なるＰＲＢオフセットによって対応し得る。より具体的には、図２（Ｆｉｇｕｒｅ  ２  ａｎｄ  Ｆｉｇｕｒｅ  ２）の＜２ｊ，２ｊ＋１＞によって識別される１対のＲＥ配置は、（ｉ）（ｋ−ｊ）ｍｏｄ  Ｑ＝０の場合；および（ｉｉ）＜２ｊ，２ｊ＋１＞が、ミュートサブセットの構築において説明されたように、１対のミュートされたＲＥとして識別された場合、ＰＲＢにおいてインデックスｋによってミュートされる。
【０１６３】
例示的実施形態に従って、時間領域部分的ミュートは、Ｑがミュートサイクルの通知に含まれているので、パラメータＱを搬送する追加の通知を要求しない。しかし、周波数領域および空間領域の部分的ミュートは、ミュートサブセットの構築において説明したように、基本的なミュート構成と一緒にパラメータＱを通知することを必要とする。ミュートされる必要がある１対のＲＥのうちのいずれかのＲＥがＣＲＳまたはポート５  ＵＲＳのような非ＰＤＳＣＨ信号を実際に搬送する場合、１対のＲＥのうちの両方のＲＥ上でのミュートは実行されない。
【０１６４】
インプリメンテーションの際に、上で説明したアーキテクチャ、方法およびそれらのバリエーションがコンピュータソフトウェア指令またはファームウェア指令としてインプリメントされ得る。そのような指令は、１つ以上のコンピュータまたは集積回路またはデジタルシグナルプロセッサのようなデジタルプロセッサまたはマイクロプロセッサに接続された１つ以上の機械読み取り可能記憶装置デバイスによって項目に記憶され得る。３ＧＰＰ  ＬＴＥおよび／またはＬＴＥ−Ａの通信システムにおいて、ＣＳＩ−ＲＳ送信方法および関連通知フローおよび処理は、送信器および／または受信器、または送受信コントローラーのプロセッサによる実行のためのソフトウェア指令またはファームウェア指令の形態でインプリメントされ得る。動作の際に、指令は、１つ以上のプロセッサによって実行されることによって、送信器および受信器または送受信コントローラーに説明した機能および動作を実行させる。
本明細書は、例えば、以下の項目も提供する。
（項目１）
チャネル状態情報参照信号（ＣＳＩ−ＲＳ）を送信する方法であって、該方法は、
１つ以上のＣＳＩ−ＲＳ再利用パターンが送信される１つ以上のサブフレームの配置を識別することと、
ＣＳＩ−ＲＳを該ＣＳＩ−ＲＳサブフレーム内において送信するために用いられる１つ以上のリソース要素（ＲＥ）の配置を識別することであって、該ＣＳＩ−ＲＳ再利用パターンを含む該ＲＥは、ＣＳＩ−ＲＳポートの数（ＮＡＮＴまたはＮＣＳＩＲＳ）および該再利用パターンにおけるＲＥ＃０（＜ｋｒ，０，ｌｒ，０＞または＜ｋ’，ｌ’，ｎｓ＞）の配置によって規定される、ことと、
該ＣＳＩ−ＲＳ再利用パターンが１つ以上のユーザー機器（ＵＥ）に送信される該１つ以上のサブフレームおよび１つ以上のＲＥの配置を提供することと、
該ＣＳＩ−ＲＳ変調シンボルを、各シンボルがＣＳＩ−ＲＳシーケンス要素
【数２５】
0005876880.tif 000052
を乗法コンポーネントとして含む１つ以上のＣＳＩ−ＲＳ  ＲＥ内に生成することと
を含む、方法。
（項目２）
前記ＣＳＩ−ＲＳを送信する前記サブフレーム例は、
【数７】
0005876880.tif 000053
を満たすフレームインデックスｎｆおよびスロットインデックスｎｓ（０≦ｎｓ＜２０）によって規定され、ＴＣＳＩＲＳおよびΔＣＳＩＲＳは、前記ＵＥに高層無線リソース制御（ＲＲＣ）パラメータＩＣＳＩＲＳによって、予め定められた表に基づいて通知される、項目１に記載の方法。
（項目３）
前記ＣＳＩ−ＲＳ再利用パターンのＣＳＩ−ＲＳポートの数（ＮＡＮＴまたはＮＣＳＩＲＳ）および前記ＲＥ＃０（＜ｋｒ，０，ｌｒ，０＞または＜ｋ’，ｌ’，ｎｓ＞）の配置は、別個に符号化される、項目１に記載の方法。
（項目４）
前記ＣＳＩ−ＲＳポートの数（ＮＡＮＴ）は、２ビットで符号化され、該２ビットバイナリパターンは、ＮＡＮＴ＝２に対して０１であり、ＮＡＮＴ＝４に対して１０であり、ＮＡＮＴ＝８に対して１１である、項目３に記載の方法。
（項目５）
前記ＲＥ＃０（＜ｋｒ，０，ｌｒ，０＞または＜ｋ’，ｌ’，ｎｓ＞）の配置は、
【数２６】
0005876880.tif 000054
ビットで４＊Ｎ８Ｔｘ入力の表に基づいて符号化され、該４＊Ｎ８Ｔｘ入力は、全ての８−Ｔｘ  ＣＳＩ−ＲＳ再利用パターンにわたって全てのＣＳＩ−ＲＳ  ＲＥの配置を含み、該全ての８−Ｔｘ  ＣＳＩ−ＲＳ再利用パターンのＲＥインデックスは、偶数であり、Ｎ８Ｔｘは、全ての８−Ｔｘ  ＣＳＩ−ＲＳ再利用パターンの数に等しい、項目３に記載の方法。
（項目６）
前記ｍ−Ｔｘ（ｍ＝ＮＡＮＴ）ＣＳＩ−ＲＳ再利用パターンのＲＥ＃０＜ｋｒ，０，ｌｒ，０＞の配置は、ｚ＝ｍ・ｆ（ｘ，ｍ）に対する前記ネストされた８−Ｔｘ  ＣＳＩ−ＲＳ再利用パターンのＲＥ＃ｚ（＜ｋｒ，ｚ，ｌｒ，ｚ＞）の配置に等しく、ｆ（ｘ，ｍ）∈｛０，１，２，３｝であり、
【数１３】
0005876880.tif 000055
ビットは、該ネストされた８−Ｔｘ  ＣＳＩ−ＲＳ再利用パターンのＲＥ＃０配置＜ｋｒ，０，ｌｒ，０＞を、Ｎ８Ｔｘ入力の予め定められた表に基づいて符号化するために用いられる、項目３に記載の方法。
（項目７）
ｘはＲＲＣ通知パラメータであり、ｆ（ｘ，ｍ）＝ｘ∈｛０，１，２，３｝は、さらに２つのｘに対する通知ビットを要求する、項目６に記載の方法。
（項目８）
前記ｍ−Ｔｘ（ｍ＝ＮＡＮＴ）再利用パターンの前記割り当てられた＜ｋｒ，０，ｌｒ，０＞は、ネストされた８−Ｔｘ再利用パターンの＜ｋｒ，ｚ，ｌｒ，ｚ＞（ＲＥ＃ｚの配置）に等しく、ｚおよびＮＡＮＴは、連帯的に符号化され、
【数１３】
0005876880.tif 000056
ビットは、該ネストされた８−Ｔｘ再利用パターンのＲＥ＃０配置＜ｋｒ，０，ｌｒ，０＞をＮ８Ｔｘ入力の予め定められた表に基づいて符号化するために用いられる、項目１に記載の方法。
（項目９）
【数１６】
0005876880.tif 000057
である、項目５、６、７または８のうちのいずれか一項に記載の方法。
（項目１０）
前記ＣＳＩ−ＲＳシーケンス要素
【数２５】
0005876880.tif 000058
のインデックス（ｍ’）と前記ＣＳＩ−ＲＳ  ＲＥを含む前記ＰＲＢの周波数領域インデックス（ｍ）との間の関係は、
【数２７】
0005876880.tif 000059
によって与えられ、該ＣＳＩ―ＲＥに対して、該ＣＳＩ−ＲＳシーケンス要素はマッピングされており、
【数２１】
0005876880.tif 000060
は、ＰＲＢの数における実際のシステムバンド幅であり、
【数２８】
0005876880.tif 000061
は、ＰＲＢの数における最大限のサポートされたバンド幅であり、ＣＳＩ−ＲＳシーケンス
【数２９】
0005876880.tif 000062
の送信されたセグメントは、シーケンス要素インデックス
【数２４】
0005876880.tif 000063
によって決定される、項目１に記載の方法。
（項目１１）
チャネル状態情報参照信号（ＣＳＩ−ＲＳ）送信に関連付けられた物理ダウンリンク共有チャネル（ＰＤＳＣＨ）をミュートする方法であって、該方法は、
ユーザー機器（ＵＥ）に１つ以上のセットのリソース要素（ＲＥ）配置および属性を物理リソースブロック（ＰＲＢ）によって知らせることであって、ＲＥ配置の各セットは、ＣＳＩ−ＲＳ  ＲＥのサブセットである、ことを含む、方法。
（項目１２）
２つのＰＤＳＣＨ  ＲＥが、両方とも、知らされたセットのＲＥ配置内の＜２ｊ、２ｊ＋１＞によってインデックス付与された１対の符号分割多重（ＣＤＭ）ＣＳＩ−ＲＳ  ＲＥとして同じ２つの該ＲＥ配置を占める場合、該２つのＰＤＳＣＨ  ＲＥをミュートすることをさらに含む、項目１１に記載の方法。
（項目１３）
同じ２つのＲＥ配置が、非ＰＤＳＣＨ信号を搬送する前記知らされたセットのＲＥ配置内の＜２ｊ，２ｊ＋１＞によってインデックス付与された１対のＣＤＭ  ＣＳＩ−ＲＳ  ＲＥとして占める場合、該２つのＲＥは、ミュートされない、項目１１に記載の方法。
（項目１４）
ミュートされたＲＥの各セットに関連付けられた前記属性は、
該ＲＥのセットがミュートされるサブフレームの例と、
セル領域、時間領域、周波数領域または空間領域部分的ミュートに対する部分的ミュートと
を含む、項目１１に記載の方法。
（項目１５）
ミュートされたＲＥの所与のセットに対するサブフレーム例は、
【数１２】
0005876880.tif 000064
を満たす前記フレームインデックスｎｆおよび前記スロットインデックスｎｓ（０≦ｎｓ＜２０）によって規定され、ＴｍｕｔｉｎｇおよびΔｍｕｔｉｎｇは、前記ＵＥに高層ＲＲＣパラメータＩｍｕｔｉｎｇによって、所定の表に基づいて通知される、項目１４に記載の方法。
（項目１６）
ミュートされたＲＥの各セットは、ＵＥに、ＣＳＩ−ＲＳ測定セットの各セルを示す同じ通知フォーマットによって干渉された各セルに割り当てられた実際のＣＳＩ−ＲＳ再利用パターンとしてＵＥに直接通知される、項目１１に記載の方法。
（項目１７）
少なくとも１つのセルにおいてミュートを可能にし、ミュートされなかったセルにおいてミュートを不可能にすることによって、セル領域部分的ミュートをインプリメントすることをさらに含み、部分的ミュート属性は、ミュートまたは非ミュートのどちらかを要求されない、項目１４に記載の方法。
（項目１８）
チャネル状態情報参照信号（ＣＳＩ−ＲＳ）を受信するように構成されているシステムであって、該システムは、
物理リソースブロック（ＰＲＢ）内の１つ以上のサブフレームであって、該サブフレームは、１つ以上のＣＳＩ−ＲＳ再利用パターンを含む、１つ以上のサブフレームと、
該ＣＳＩ−ＲＳサブフレーム内のＣＳＩ−ＲＳを送信するために用いられる１つ以上のリソース要素（ＲＥ）であって、該ＲＥは、該ＣＳＩ−ＲＳ再利用パターンを含み、該ＲＥは、ＣＳＩ−ＲＳポートの数（ＮＡＮＴまたはＮＣＳＩＲＳ）および該再利用パターンのＲＥ＃０（＜ｋｒ，０，ｌｒ，０＞または＜ｋ’，ｌ’，ｎｓ＞）の配置によって規定される、１つ以上のリソース要素（ＲＥ）と、
ユーザー機器（ＵＥ）であって、該ＵＥは、該１つ以上のサブフレームおよび該１つ以上のＲＥに関する配置情報を含む、ユーザー機器（ＵＥ）と、
１つ以上のサブフレーム内の１つ以上のＲＥをわたる送信のために構成されているＣＳＩ−ＲＳ変調シンボルであって、各ＣＳＩ−ＲＳシンボルは、乗法コンポーネントとしてＣＳＩ−ＲＳシーケンス要素
【数２５】
0005876880.tif 000065
を含む、ＣＳＩ−ＲＳ変調シンボルと
を含む、システム。
（項目１９）
前記サブフレーム例は、
【数７】
0005876880.tif 000066
を満たすフレームインデックスｎｆおよびインデックスｎｓによって規定され、ＴＣＳＩＲＳおよびΔＣＳＩＲＳは、高層無線リソース制御（ＲＲＣ）パラメータＩＣＳＩＲＳによって、予め定められた表に基づいて前記ＵＥに通知される、項目１８に記載のシステム。
（項目２０）
前記ＣＳＩ−ＲＳ再利用パターンにおけるＣＳＩ−ＲＳポートの数（ＮＡＮＴまたはＮＣＳＩＲＳ）およびＲＥ＃０（＜ｋｒ，０，ｌｒ，０＞または＜ｋ’，ｌ’，ｎｓ＞）の配置は、別個に符号化される、項目１８に記載のシステム。
（項目２１）
前記ＣＳＩ−ＲＳポートの数（ＮＡＮＴ）は、２ビットで符号化され、該２ビットバイナリパターンは、ＮＡＮＴ＝２に対して０１であり、ＮＡＮＴ＝４に対して１０であり、ＮＡＮＴ＝８に対して１１である、項目２０に記載のシステム。
（項目２２）
前記ＲＥ＃０（＜ｋｒ，０，ｌｒ，０＞または＜ｋ’，ｌ’，ｎｓ＞）の配置は、
【数２６】
0005876880.tif 000067
ビットで４＊Ｎ８Ｔｘ入力の表に基づいて符号化され、該４＊Ｎ８Ｔｘ入力の表は、全ての８−Ｔｘ  ＣＳＩ−ＲＳ再利用パターンにわたって全てのＣＳＩ−ＲＳ  ＲＥの配置を含み、該全ての８−Ｔｘ  ＣＳＩ−ＲＳ再利用パターンのＲＥインデックスは、偶数であり、Ｎ８Ｔｘは、全ての８−Ｔｘ  ＣＳＩ−ＲＳ再利用パターンの数と等しい、項目２０に記載のシステム。
（項目２３）
【数１６】
0005876880.tif 000068
である、項目２２に記載のシステム。
（項目２４）
ＣＳＩ−ＲＳシーケンス要素
【数２５】
0005876880.tif 000069
の前記インデックス（ｍ’）と前記ＣＳＩ−ＲＳ  ＲＥを含むＰＲＢの前記周波数領域インデックス（ｍ）との間の関係は、
【数２７】
0005876880.tif 000070
によって与えられ、該ＣＳＩ−ＲＳ  ＲＥに対して該ＣＳＩ−ＲＳシーケンス要素は、マッピングされており、
【数２１】
0005876880.tif 000071
は、ＰＲＢの数における実際のシステムバンド幅であり、
【数２８】
0005876880.tif 000072
は、ＰＲＢの数における最大限のサポートされたバンド幅であり、同等に、該ＣＳＩ−ＲＳシーケンス
【数２９】
0005876880.tif 000073
の送信されたセグメントは、シーケンス要素インデックス
【数２４】
0005876880.tif 000074
によって決定される、項目１８に記載のシステム。
【０１６５】
本発明のさまざまな実施形態が上で説明されたが、それらは、例としてのみ示され、限定としてではないことが理解されるべきである。同様に、さまざまなダイアグラムが発明のための例示的アーキテクチャまたは他の構成を描写し得る。それは、発明に含まれ得る特徴および機能の理解を助けるためになされた。発明は、例示された例示的アーキテクチャまたは構成に限定されず、さまざまな代替のアーキテクチャおよび構成を用いてインプリメントされ得る。加えて、発明は上で、さまざまな例示的実施形態およびインプリメンテーションの観点から説明されたが、個別の実施形態の１つ以上において説明されたさまざまな特徴および機能は、それらが説明された特定の実施形態への適用可能性に限定されず、その代わりに、単体またはいくつかの組み合わせにおいて、そのような実施形態が説明されたか否かに関わらず、そのような特徴が説明された実施形態の一部として示されたか否かに関わらず、発明の他の実施形態のうちの１つ以上に適用され得ることが理解されるべきである。したがって、本発明の幅および範囲は、上で説明された例示的実施形態のうちのいずれによっても限定されるべきではない。
【図１】
0005876880.tif 000099
【図２Ａ】
0005876880.tif 000100
【図２Ｂ】
0005876880.tif 000101
【図３Ａ】
0005876880.tif 000102
【図３Ｂ】
0005876880.tif 000103
【図４】
0005876880.tif 000104